(57)【要約】      （修正有）【課題】  仕切部材を片手で、またワンタッチで作業性よく移動することができ、仕切部材をバッグ本体に安定的に保持して内部空間を確実に仕切ることができるキャディバッグを提供する。【解決手段】  バッグ本体１１０の開口部１１２付近に係止部１１４を対向して設け、横仕切部材１２０を、係止部に嵌合してバッグ本体の開口部付近に掛け渡し、バッグ本体の底部１１１付近に弾性体１３０を固定し、連結部材を横仕切部材と弾性体の自由端とに接続し、係止部に基部１１４ａと複数の分岐部１１４ｂとを設け、一方の係止部の分岐部と他方の係止部の分岐部に横仕切部材の両端部１２１を嵌めると横仕切部材が弾性体の弾性力により連結部材を介して底部に向かって付勢されて分岐部に保持され、弾性体の弾性力に抗して横仕切部材を底部から離れる方向に引いて端部を分岐部から外し、この端部を他の分岐部に嵌め変えることができるようにしたキャディバッグ１１０。【選択図】図１
2006280754.tif 000002
【特許請求の範囲】
【請求項１】
一端が底部により閉塞され、他端が開放されて開口部となったほぼ筒形のバッグ本体を備えたキャディバッグにおいて、
バッグ本体の開口部付近における内部空間を介して対向する部位に、それぞれ内面を凹ませ又は内面から外面まで貫通させて係止部が設けられ、
ほぼ棒状の横仕切部材が、その両端部を係止部にそれぞれ嵌合してバッグ本体の開口部付近の内部空間に掛け渡され、
バッグ本体の内部の底部付近には弾性体が配置され、その一部がバッグ本体に固定されており、
バッグ本体の内部には、内部空間を仕切るほぼ面状の連結部材が配置され、その一端が横仕切部材に接続され、他端が弾性体の自由端に接続されており、
係止部は、バッグ本体の開口部の周縁とほぼ平行に延びる基部と、この基部の周方向の複数位置から底部に向かって延びる複数の分岐部とを有しており、
一方の係止部の分岐部のうちのひとつと他方の係止部の分岐部のうちのひとつに横仕切部材の両端部を嵌めると横仕切部材が弾性体の弾性力により連結部材を介して底部に向かって付勢されて分岐部に保持され、弾性体の弾性力に抗して横仕切部材を底部から離れる方向に引いて端部を分岐部から外し、この端部を他の分岐部に嵌め変えることができるように構成したキャディバッグ。
【請求項２】
横仕切部材がほぼ平行に二個設けられ、連結部材がほぼ平行に二個設けられ、各横仕切部材が各連結部材を介して弾性体の固定部両側にある各自由端に接続されている請求項１のキャディバッグ。
【請求項３】
連結部材が弾性を有している請求項１又は請求項２のキャディバッグ。
【請求項４】
一端が底部により閉塞され、他端が開放されて開口部となったほぼ筒形のバッグ本体を備えたキャディバッグにおいて、
バッグ本体の開口部付近における内部空間を介して対向する部位に、それぞれ内面を凹ませ又は内面から外面まで貫通させて係止部が設けられ、
ほぼ棒状の横仕切部材が、その両端部を係止部にそれぞれ嵌合してバッグ本体の開口部付近の内部空間に掛け渡され、
バッグ本体の内部には、弾性を有するとともに内部空間を仕切るほぼ面状の連結部材が配置され、その一端が横仕切部材に接続され、他端がバッグ本体の底部付近に固定されており、
係止部は、バッグ本体の開口部の周縁とほぼ平行に延びる基部と、この基部の周方向の複数位置から底部に向かって延びる複数の分岐部とを有しており、
一方の係止部の分岐部のうちのひとつと他方の係止部の分岐部のうちのひとつに横仕切部材の両端部を嵌めると横仕切部材が連結部材の弾性力により底部に向かって付勢されて分岐部に保持され、連結部材の弾性力に抗して横仕切部材を底部から離れる方向に引いて端部を分岐部から外し、この端部を他の分岐部に嵌め変えることができるように構成したキャディバッグ。
【請求項５】
請求項１ないし請求項４のうちいずれか１項のキャディバッグにおいて、さらに、横仕切部材に、横仕切部材と交差してバッグ本体の開口部付近の内部空間を仕切る縦仕切部材が設けられているキャディバッグ。
【発明の詳細な説明】
【技術分野】
【０００１】
本発明はキャディバッグの技術分野に属し、一端が閉塞され、他端が開放されたほぼ筒形のバッグ本体を備え、その開口部からバッグ本体の内部にゴルフクラブ等を差し込むようにしたキャディバッグにおいて、開口部に仕切部材を設けたものの改良に関する。
【背景技術】
【０００２】
特許文献１には、バッグ本体の開口部に、この開口部を複数の収容口に仕切るための仕切り部材が設けられているゴルフバッグにおいて、バッグ本体に対する仕切り部材の取り付け位置を変更可能とする位置変更許容手段が設けられ、この位置変更許容手段による仕切り部材の取り付け位置の変更により、収容口の大きさを変更可能としたことを特徴とするゴルフバッグが開示されている。その実施の形態では、位置変更許容手段を、支持部材とスプリングとから構成し、具体的には横側仕切り体を内筒、外筒およびスプリングにより構成し、これを伸長させることでバッグ部材の係合穴に嵌め、収縮させることで係合穴から外し、これによって横側仕切り体の移動を実現している。そして、バッグ本体内を仕切る帯状のセパレータの長手方向の両端部に横側仕切り体を包む包持部材を縫い付け、セパレータの両端部を包持部材を介して横側仕切り体に吊り掛けている。
【特許文献１】特開２００４−８１２９７号公報
【発明の開示】
【発明が解決しようとする課題】
【０００３】
特許文献１のゴルフバッグの場合、横側仕切り体の位置を変えるときには、先ず、横側仕切り体から包持部材を外し、次いで操作片の操作によりスプリングの弾性力に抗して横側仕切り体を収縮させて係合穴から外し、所望の係合穴に横側仕切り体の両端部を再度係合させ、仕切り体に包持部材を取り付けることになる。このように包持部材の取り外し作業と、横側仕切り体の移動作業と、包持部材の取り付け作業の三工程が必要となり、しかも横側仕切り体の移動作業には横側仕切り体の収縮操作及び両端の係合穴への係合操作が必要であり、総じて作業性が悪く、片手での作業、ワンタッチの作業は不可能である。
【０００４】
本発明はこのような点に着目してなされたものであり、その目的とするところは、バッグ本体の開口部付近に対向して設けた横長で且つ底部に向かう複数の分岐部を有する係止部の、いずれかの分岐部に横仕切部材を嵌め、この横仕切部材をバッグ本体に設けた弾性体又は連結部材により引っ張ることで、横仕切部材を係止部に沿って片手で、またワンタッチで作業性よく移動することができるとともに、横仕切部材を分岐部に安定的に保持して内部空間を確実に仕切ることができるキャディバッグを提供することにある。
【課題を解決するための手段】
【０００５】
上記目的を達成するため、本発明のキャディバッグは、一端が底部により閉塞され、他端が開放されて開口部となったほぼ筒形のバッグ本体を備えたキャディバッグにおいて、バッグ本体の開口部付近における内部空間を介して対向する部位に、それぞれ内面を凹ませ又は内面から外面まで貫通させて係止部が設けられ、ほぼ棒状の横仕切部材が、その両端部を係止部にそれぞれ嵌合してバッグ本体の開口部付近の内部空間に掛け渡され、バッグ本体の内部の底部付近には弾性体が配置され、その一部がバッグ本体に固定されており、バッグ本体の内部には、内部空間を仕切るほぼ面状の連結部材が配置され、その一端が横仕切部材に接続され、他端が弾性体の自由端に接続されており、係止部は、バッグ本体の開口部の周縁とほぼ平行に延びる基部と、この基部の周方向の複数位置から底部に向かって延びる複数の分岐部とを有しており、一方の係止部の分岐部のうちのひとつと他方の係止部の分岐部のうちのひとつに横仕切部材の両端部を嵌めると横仕切部材が弾性体の弾性力により連結部材を介して底部に向かって付勢されて分岐部に保持され、弾性体の弾性力に抗して横仕切部材を底部から離れる方向に引いて端部を分岐部から外し、この端部を他の分岐部に嵌め変えることができるように構成したキャディバッグである。
【０００６】
一方の係止部の分岐部のうちのひとつと他方の係止部の分岐部のうちのひとつに横仕切部材の両端部を嵌めると横仕切部材が弾性体の弾性力により連結部材を介して底部に向かって付勢されて分岐部に安定的に保持され、横仕切部材及び連結部材により内部空間が確実に仕切られる。また、弾性体の弾性力に抗して横仕切部材を底部から離れる方向に引いて端部を分岐部から外し、この端部を基部に沿って移動して所望の他の分岐部に嵌め変えれば、横仕切部材が係止部に沿って移動する。その場合、横仕切部材から連結部材を外す必要がなく、しかも横仕切部材を持って操作するだけであるので、作業を片手で、またワンタッチで行え、作業性がよい。
【０００７】
上記本発明のキャディバッグは、横仕切部材がほぼ平行に二個設けられ、連結部材がほぼ平行に二個設けられ、各横仕切部材が各連結部材を介して弾性体の固定部両側にある各自由端に接続されていてもよい。
【０００８】
このようにすれば、単一の弾性体でもって二個の横仕切部材及び連結部材に上述した機能を発揮させることができる。
【０００９】
上記本発明のキャディバッグは、連結部材が弾性を有していてもよい。
【００１０】
このようにすれば、弾性体の弾性と連結部材の弾性との組み合わせにより横仕切部材に作用する引っ張り力が調整される。
【００１１】
本発明の別のキャディバッグは、一端が底部により閉塞され、他端が開放されて開口部となったほぼ筒形のバッグ本体を備えたキャディバッグにおいて、バッグ本体の開口部付近における内部空間を介して対向する部位に、それぞれ内面を凹ませ又は内面から外面まで貫通させて係止部が設けられ、ほぼ棒状の横仕切部材が、その両端部を係止部にそれぞれ嵌合してバッグ本体の開口部付近の内部空間に掛け渡され、バッグ本体の内部には、弾性を有するとともに内部空間を仕切るほぼ面状の連結部材が配置され、その一端が横仕切部材に接続され、他端がバッグ本体の底部付近に固定されており、係止部は、バッグ本体の開口部の周縁とほぼ平行に延びる基部と、この基部の周方向の複数位置から底部に向かって延びる複数の分岐部とを有しており、一方の係止部の分岐部のうちのひとつと他方の係止部の分岐部のうちのひとつに横仕切部材の両端部を嵌めると横仕切部材が連結部材の弾性力により底部に向かって付勢されて分岐部に保持され、連結部材の弾性力に抗して横仕切部材を底部から離れる方向に引いて端部を分岐部から外し、この端部を他の分岐部に嵌め変えることができるように構成したキャディバッグである。
【００１２】
一方の係止部の分岐部のうちのひとつと他方の係止部の分岐部のうちのひとつに横仕切部材の両端部を嵌めると横仕切部材が連結部材の弾性力により底部に向かって付勢されて分岐部に安定的に保持され、横仕切部材及び連結部材により内部空間が確実に仕切られる。また、連結部材の弾性力に抗して横仕切部材を底部から離れる方向に引いて端部を分岐部から外し、この端部を基部に沿って移動して所望の他の分岐部に嵌め変えれば、横仕切部材が係止部に沿って移動する。その場合、横仕切部材から連結部材を外す必要がなく、しかも横仕切部材を持って操作するだけであるので、作業を片手で、またワンタッチで行え、作業性がよい。
【００１３】
上記本発明のキャディバッグは、さらに、横仕切部材に、横仕切部材と交差してバッグ本体の開口部付近の内部空間を仕切る縦仕切部材が設けられていてもよい。
【００１４】
このようにすれば、縦仕切部材により内部空間が更に細かく仕切られる。また、縦仕切部材は横仕切部材の移動を妨げることなく横仕切部材と共に移動することができる。
【発明の効果】
【００１５】
本発明のキャディバッグは、横仕切部材を係止部に沿って片手で、またワンタッチで作業性よく移動することができるとともに、横仕切部材を分岐部に安定的に保持して内部空間を確実に仕切ることができる。
【００１６】
横仕切部材をほぼ平行に二個設け、連結部材をほぼ平行に二個設け、各横仕切部材を各連結部材を介して弾性体の固定部両側にある各自由端に接続したときには、単一の弾性体でもって二個の横仕切部材及び二個の連結部材に上述した機能を発揮させることができ、簡単な構造でもってコストアップを抑えながら機能の向上を図ることができる。
【００１７】
連結部材が弾性を有しているときは、弾性体の弾性と連結部材の弾性との組み合わせにより横仕切部材に作用する引っ張り力が調整されるので、引っ張り力の細かい調整が可能となる。
【００１８】
弾性体を設けず、連結部材に弾性をもたせたキャディバッグとしたときも、横仕切部材を係止部に沿って片手で、またワンタッチで作業性よく移動することができるとともに、横仕切部材を分岐部に安定的に保持して内部空間を確実に仕切ることができる。
【００１９】
さらに、横仕切部材に、横仕切部材と交差してバッグ本体の開口部付近の内部空間を仕切る縦仕切部材を設けたときには、簡単な構造でもって横仕切部材の移動を妨げることなく内部空間を更に細かく仕切ることができる。
【発明を実施するための最良の形態】
【００２０】
以下、本発明の実施形態を図面に基づいて詳細に説明する。図１、図２及び図６は第１の実施形態に係るキャディバッグ１００を示す。このキャディバッグ１００は、一端が底部１１１により閉塞され、他端が開放されて開口部１１２となったほぼ筒形のバッグ本体１１０を備えており、バッグ本体１１０の内側には内部空間１１３が形成されている。そして、開口部１１２からバッグ本体１１０の内部空間１１３にゴルフクラブ等を差し込むようにしている。この実施形態ではバッグ本体１１０をほぼ円筒形に形成しているが、これに限定されるものではなく、断面形状の如何を問わずほぼ筒形に形成されておればよい。このバッグ本体１１０の開口部１１２の側に袋状のキャップ（図示省略）を設け、これによって開口部１１２を開閉可能にしてもよいし、バッグ本体に各種の袋体等を設けてもよい。
【００２１】
図１、図２及び図５に示すように、バッグ本体１１０の周壁において、開口部１１２の付近における内部空間１１３を介して対向する部位には、それぞれ内面から外面まで貫通させて係止部１１４、１１４が設けられている。このように貫通させずに、上記部位において内面を凹ませることで係止部を設けてもよい。この実施形態の場合、バッグ本体１１０の周壁に取付孔を貫通して設け、この取付孔に、図５に示すように係止部１１４に相当する孔が貫通して設けられた金具を嵌めることで係止部１１４を設けているが、係止部の構造はこれによって限定されるものではない。
【００２２】
そして、図１ないし図４に示すように、ほぼ棒状の横仕切部材１２０が、その両方の端部１２１、１２１を係止部１１４、１１４にそれぞれ嵌合してバッグ本体１１０の開口部１１２の付近の内部空間１１３に掛け渡されている。係止部１１４を貫通孔としたときには、横仕切部材１２０の端部１２１における係止部１１４への嵌合部分よりも末端側又はそれとは逆側に嵌合部分よりも太い部分を設け、この太い部分が係止部１１４の後述する基部１１４ａ又は分岐部１１４ｂの周縁部に当たることで横仕切部材１２０が軸方向に沿って移動することを防止するようにしてもよい。
【００２３】
図２ないし図４に示すように、バッグ本体１１０の内部の底部１１１の付近には弾性体１３０が配置され、その一部がバッグ本体１１０に固定されている。弾性体１３０は弾性を有する部材であれば形状を問わない。この実施形態の場合、一例として、底部１１１の上に鉄板よりなる板バネを二枚ほぼ平行に並べて配置し、各鉄板の央部をそれぞれ底部１１１に鋲等で固定して固定部１３１としており、各鉄板の両端を自由端１３２としている。この鉄板をさらに被覆材で覆ってもよいし、鉄板に重ねてこれを補強する樹脂板等を設け、鉄板と共に底部１１１に固定してもよい。要は、弾性体は、弾性を有し、その一部が底部１１１に固定され、この固定部の周囲に、底部１１１に対して離間又は接近する方向に弾性的に撓むことができる自由端があればよい。
【００２４】
図２ないし図４に示すように、バッグ本体１１０の内部には、内部空間１１３を仕切るほぼ面状の連結部材１４０が配置され、その一端１４１が横仕切部材１２０に接続され、他端１４２が弾性体１３０の自由端１３２に接続されている。連結部材１４０は通気性のないものであってもよいし、例えばメッシュ地のように通気性があったり、透視可能なものであってもよい。また、連結部材１４０自体が弾性を有していてもよい。
【００２５】
図１、図２及び図５に示すように、係止部１１４は、バッグ本体１１０の開口部１１２の周縁１１２ａとほぼ平行に延びる基部１１４ａと、この基部１１４ａの周方向の複数位置、つまり基部１１４ａにおける基部１１４ａが延びる方向に沿って離間した複数位置から底部１１１に向かって延びる複数の分岐部１１４ｂとを有している。分岐部１１４ｂの数は２個以上であればよい。基部１１４ａは、底部１１１に向かい又は底部１１１から離れる方向に沿った寸法である幅寸法が、横仕切部材１２０の端部１２１の太さよりも若干大きくしてあり、この端部１２１が嵌ったままで端部１２１を開口部１１２の周縁１１２ａとほぼ平行な方向に自在に移動できるように形成されている。分岐部１１４ｂは、開口部１１２の周縁１１２ａとほぼ平行な方向の寸法である幅寸法が、横仕切部材１２０の端部１２１の太さよりも若干大きくしてあり、この端部１２１が嵌ったままで端部１２１を底部１１１に向かい又は底部１１１から離れる方向に自在に移動できるように形成されている。分岐部１１４ｂの数は任意であり、図では３本になっているが、本発明のキャディバッグの分岐部の数はこれによって限定されるものではない。
【００２６】
そして、図２に示すように、一方の係止部１１４の分岐部１１４ｂのうちのひとつと他方の係止部１１４の分岐部１１４ｂのうちのひとつに横仕切部材１２０の両端部１２１、１２１を嵌めると横仕切部材１２０が弾性体１３０の弾性力により連結部材１４０を介して底部１１１に向かって付勢されて分岐部１１４ｂ、１１４ｂに保持されるように構成している。また、図１、図６及び図７に矢印で示すように、弾性体１３０の弾性力に抗して横仕切部材１２０を底部１１１から離れる方向に引いて端部１２１を分岐部１１４ｂから外し、この端部１２１を他の分岐部１１４ｂに嵌め変えることができるように構成している。
【００２７】
この第１実施形態のキャディバッグ１００の場合、図２、図３及び図４に示すように、横仕切部材１２０がほぼ平行に二個設けられ、連結部材１４０がほぼ平行に二個設けられている。そして、各横仕切部材１２０が各連結部材１４０を介して弾性体１３０の固定部１３１の両側にある各自由端１３２に接続されている。すなわち、第１の横仕切部材１２０が第１の連結部材１４０を介して、弾性体１３０の固定部１３１の一方の自由端１３２に接続されており、第２の横仕切部材１２０が第２の連結部材１４０を介して弾性体１３０の固定部１３１の他方の自由端１３２に接続されている。
【００２８】
また、この第１実施形態のキャディバッグ１００の場合、図１及び図６に示すように、横仕切部材１２０に、横仕切部材１２０と交差してバッグ本体１１０の開口部１１２の付近の内部空間１１３を仕切る縦仕切部材１５０が設けられている。交差する角度は任意であり、図示するようにほぼ直交していてもよいし、他の角度をなして交わっていてもよい。この実施形態の場合、横仕切部材１２０が二個あるが、縦仕切部材１５０は一方の横仕切部材１２０にのみ固定されている。縦仕切部材１５０は、その移動を可能とするためにその端部とバッグ本体１１０の周壁との間に隙間を設けてもよいし、その端部をバッグ本体１１０の周壁に嵌挿可能に貫通させてもよい。また、縦仕切部材を複数の横仕切部材に固定してもよいが、そのときには各横仕切部材を個別に移動させることができなくなる。縦仕切部材１５０は、横仕切部材１２０に固定せず、スライド可能に又は回動可能に設けてもよい。
【００２９】
従って、上記第１実施形態のキャディバッグ１００の場合、一方の係止部１１４の分岐部１１４ｂのうちのひとつと他方の係止部１１４の分岐部１１４ｂのうちのひとつに横仕切部材１２０の両端部１２１、１２１を嵌めると横仕切部材１２０が弾性体１３０の弾性力により連結部材１４０を介して底部１１１に向かって付勢されて分岐部１１４ｂ、１１４ｂに安定的に保持され、横仕切部材１２０及び連結部材１４０により内部空間１１３が確実に仕切られる。そのため、開口部１１２からバッグ本体１１０の内部空間１１３にゴルフクラブ等を差し込むときに、横仕切部材１２０及び連結部材１４０により仕切られた空間に差し込むことができる。また、弾性体１３０の弾性力に抗して横仕切部材１２０を底部１１１から離れる方向に引いて端部１２１を分岐部１１４ｂから外し、この端部１２１を基部１１４ａに沿って移動して所望の他の分岐部１１４ｂに嵌め変えれば、横仕切部材１２０が係止部１１４に沿って移動する。その場合、横仕切部材１２０から連結部材１４０を外す必要がなく、しかも横仕切部材１２０を持って操作するだけであるので、作業を片手で、またワンタッチで行え、作業性がよい。
【００３０】
横仕切部材１２０の移動の形態としては、例えば図８に示す形態がある。例えば、同図の（ａ）は第１の横仕切部材１２０をそのままにし、第２の横仕切部材１２０の両端部１２１、１２１を第１の横仕切部材１２０から離間する方向に移動したとき、（ｂ）は第１の横仕切部材１２０及び第２の横仕切部材１２０の一方側の端部１２１、１２１をいずれも半時計方向に移動し、他方側の端部１２１、１２１をいずれも半時計方向に移動したとき、（ｃ）は第１の横仕切部材１２０及び第２の横仕切部材１２０の一方側の端部１２１、１２１を離間する方向に移動し、他方側の端部１２１、１２１を接近する方向に移動したとき、（ｄ）は第１の横仕切部材１２０及び第２の横仕切部材１２０の一方側の端部１２１、１２１を離間する方向に移動し、他方側の端部１２１、１２１も離間する方向に移動したとき、（ｅ）は第１の横仕切部材１２０及び第２の横仕切部材１２０の一方側の端部１２１、１２１を接近する方向に移動し、他方側の端部１２１、１２１も接近する方向に移動したとき、（ｆ）は第１の横仕切部材１２０をそのままにし、第２の横仕切部材１２０の両端部１２１、１２１を第１の横仕切部材１２０に接近する方向に移動したときである。よって、第１実施形態のキャディバッグ１００は、横仕切部材１２０を係止部１１４に沿って片手で、またワンタッチで作業性よく移動することができるとともに、横仕切部材１２０を分岐部に安定的に保持して内部空間１１３を確実に仕切ることができる。その場合、この第１実施形態のキャディバッグ１００のように、バッグ本体１１０をほぼ円筒形に形成すれば、（ｂ）、（ｃ）のように、底部１１１に向かってみて（ａ）の状態から横仕切部材１２０を平行に移動させるのではなく傾くように移動させるときに、対向する分岐部１１４ｂ、１１４ｂの距離の変動が少なくなり、嵌め変えの操作に無理が無い。
【００３１】
本発明のキャディバッグは、横仕切部材、連結部材を一個ずつ設けてもよいし、これらの部材の数を限定するものではない。しかし、第１実施形態のキャディバッグ１００は、横仕切部材１２０をほぼ平行に二個設け、連結部材１４０をほぼ平行に二個設け、各横仕切部材１２０を各連結部材１４０を介して弾性体１３０の固定部１３１の両側にある各自由端１３２に接続した。このようにすれば、単一の弾性体１３０でもって二個の横仕切部材１２０及び二個の連結部材１４０に上述した機能を発揮させることができ、簡単な構造でもってコストアップを抑えながら機能の向上を図ることができる。
【００３２】
本発明のキャディバッグは、連結部材が弾性を有していない実施形態を含む。しかし、第１実施形態のキャディバッグ１００は、連結部材１４０が弾性を有している。このようにすれば、弾性体１３０の弾性と連結部材１４０の弾性との組み合わせにより横仕切部材１２０に作用する引っ張り力が調整されるので、引っ張り力の細かい調整が可能となる。
【００３３】
本発明のキャディバッグは、開口部の仕切りを横仕切部材のみで行うようにした実施形態を含む。しかし、第１実施形態のキャディバッグ１００は、さらに、横仕切部材１２０に、横仕切部材１２０と交差してバッグ本体１１０の開口部１１２の付近の内部空間１１３を仕切る縦仕切部材１５０を設けた。このようにすれば、縦仕切部材１５０により内部空間１１３が更に細かく仕切られる。また、縦仕切部材１５０は横仕切部材１２０の移動を妨げることなく横仕切部材１２０と共に移動することができる。よって、簡単な構造でもって横仕切部材１２０の移動を妨げることなく内部空間１１３を更に細かく仕切ることができる。
【００３４】
図９ないし図１１は第２実施形態のキャディバッグ１００を示す。このキャディバッグ１００の場合、第１の横仕切部材１２０の一端部を受ける係止部１１４を形成する金具と、第２の横仕切部材１２０の他端部を受ける係止部１１４を形成する金具とが一体的に設けられている。その他の構成は第１実施形態と同様であるので、図面上、同一部材には同一符号を付して説明を省略する。このようにすれば、部品点数が減ってコスト低減を図れるとともに、隣り合う係止部１１４の間隔寸法を精度良く管理することができるので、キャディバッグ１００の品質を向上させることができる。
【００３５】
図１２は第３実施形態のキャディバッグ１００を示す。第１実施形態のキャディバッグ１００と共通する部材には同一の符号を付してその説明を省略する。この実施形態のキャディバッグ１００が第１実施形態のキャディバッグ１００と異なる点は、弾性体を備えていないことと、連結部材１４０が弾性を有していることである。すなわち、バッグ本体１１０の内部には、弾性を有するとともに内部空間１１３を仕切るほぼ面状の連結部材１４０が配置され、その一端が横仕切部材１２０に接続され、他端がバッグ本体１１０の底部１１１付近に固定されている。そして、一方の係止部１１４の分岐部１１４ｂのうちのひとつと他方の係止部１１４の分岐部１１４ｂのうちのひとつに横仕切部材１２０の両端部１２１、１２１を嵌めると横仕切部材１２０が連結部材１４０の弾性力により底部１１１に向かって付勢されて分岐部１１４ｂに保持され、連結部材１４０の弾性力に抗して横仕切部材１２０を底部１１１から離れる方向に引いて端部１２１を分岐部１１４ｂから外し、この端部１２１を他の分岐部１１４ｂに嵌め変えることができるように構成している。その他のバッグ本体１１０、横仕切部材１２０、連結部材１４０などの構成は、第１実施形態のキャディバッグ１００と構成と同様である。横仕切部材をほぼ平行に二個設け、連結部材をほぼ平行に二個設け、各横仕切部材を各連結部材を介してバッグ本体に連結してもよい。さらに、横仕切部材に、横仕切部材と交差してバッグ本体の開口部付近の内部空間を仕切る縦仕切部材を設けてもよい。
【００３６】
この第３実施形態のキャディバッグ１００の場合においても、一方の係止部１１４の分岐部１１４ｂのうちのひとつと他方の係止部１１４の分岐部１１４ｂのうちのひとつに横仕切部材１２０の両端部１２１、１２１を嵌めると横仕切部材１２０が連結部材１４０の弾性力により底部１１１に向かって付勢されて分岐部１１４ｂ、１１４ｂに安定的に保持され、横仕切部材１２０及び連結部材１４０により内部空間１１３が確実に仕切られる。また、連結部材１４０の弾性力に抗して横仕切部材１２０を底部１１１から離れる方向に引いて端部１２１を分岐部１１４ｂから外し、この端部１２１を基部１１４ａに沿って移動して所望の他の分岐部１１４ｂに嵌め変えれば、横仕切部材１２０が係止部１１４に沿って移動する。その場合、横仕切部材１２０から連結部材１４０を外す必要がなく、しかも横仕切部材１２０を持って操作するだけであるので、作業を片手で、またワンタッチで行え、作業性がよい。
【００３７】
本発明のキャディバッグは、以上説明した実施形態の特徴を適宜組み合わせた実施形態を含むものである。
【図面の簡単な説明】
【００３８】
【図１】第１実施形態のキャディバッグを示す斜視図である。連結部材は外している。
【図２】第１実施形態のキャディバッグにおいて、バッグ本体だけを切断して内部をみせた縦断面図である。
【図３】第１実施形態のキャディバッグを、バッグ本体の周壁を取り去り、底部のみを残すとともに、この底部に固定された弾性体と、連結部材と、横仕切部材とを示す平面図である。
【図４】第１実施形態のキャディバッグの、弾性体と、連結部材と、横仕切部材とを示す斜視面である。手前の連結部材は途中を破線で示し、向こう側を見せている。
【図５】第１実施形態のキャディバッグの、係止部を形成する金具を示す拡大図である。
【図６】第１実施形態のキャディバッグの、開口部を示す平面図である。弾性体及び連結部材は省略している。
【図７】第１実施形態のキャディバッグにおいて、バッグ本体だけを切断して内部をみせた縦断面図であり、図２の状態から横仕切部材の位置を変えている。
【図８】第１実施形態のキャディバッグの、横仕切部材の位置を変えたときの開口部を示す平面図である。弾性体及び連結部材は省略している。（ａ）ないし（ｆ）により六つの態様を示している。
【図９】第２実施形態のキャディバッグにおいて、バッグ本体だけを切断して内部をみせた縦断面図である。
【図１０】第２実施形態のキャディバッグの、係止部を形成する金具を示す拡大図である。
【図１１】第２実施形態のキャディバッグにおいて、バッグ本体だけを切断して内部をみせた縦断面図であり、図９の状態から横仕切部材の位置を変えている。
【図１２】第３実施形態のキャディバッグにおいて、バッグ本体だけを切断して内部をみせた縦断面図である。
【符号の説明】
【００３９】
１００    キャディバッグ
１１０    バッグ本体
１１１    底部
１１２    開口部
１１２ａ  周縁
１１３    内部空間
１１４    係止部
１１４ａ  基部
１１４ｂ  分岐部
１２０    横仕切部材
１２１    端部
１３０    弾性体
１３１    固定部
１３２    自由端
１４０    連結部材
１４１    一端
１４２    他端
１５０    縦仕切部材  
【図１】
2006280754.tif 000003
【図２】
2006280754.tif 000004
【図３】
2006280754.tif 000005
【図４】
2006280754.tif 000006
【図５】
2006280754.tif 000007
【図６】
2006280754.tif 000008
【図７】
2006280754.tif 000009
【図８】
2006280754.tif 000010
【図９】
2006280754.tif 000011
【図１０】
2006280754.tif 000012
【図１１】
2006280754.tif 000013
【図１２】
2006280754.tif 000014